Podtech/llm-jp-corpus-v4-ja_patent huggingface dataset:
【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
アントラサイクリン薬と抗体との複合体であって、
該アントラサイクリン薬と該抗体がヒドラジドおよびマレイミドを含んでなるリンカーを介して連結されており、
前記リンカーが４−（Ｎ−マレイミドメチル）シクロヘキサン−１−カルボキシルヒドラジドである、複合体。
【請求項２】
式：
【化１】
2006515892.tif 000001
〔式中、Ｒは、水素原子か、または所望によりヒドロキシル基で置換されていてもよいＣ１〜Ｃ６アルキル基のいずれかである〕
を有する、請求項１に記載の複合体。
【請求項３】
ｍＡｂが腫瘍関連抗原に対するものである、請求項１に記載の複合体。
【請求項４】
前記腫瘍関連抗原がインターナライジング抗体によってターゲッティングされるものである、請求項３に記載の複合体。
【請求項５】
前記複合体が、癌腫、肉腫、リンパ腫、白血病、神経膠腫または皮膚癌をターゲッティングするものである、請求項１に記載の複合体。
【請求項６】
前記皮膚癌が黒色腫である、請求項５に記載の複合体。
【請求項７】
前記腫瘍関連抗原が、ＣＤ７４、ＣＤ２２、ＥＧＰ−１、ＣＥＡ、結腸特異的抗原−ｐムチン（ＣＳＡｐ）、炭酸脱水酵素ＩＸ、ＨＥＲ−２／ｎｅｕ、ＣＤ１９、ＣＤ２０、ＣＤ２１、ＣＤ２３、ＣＤ２５、ＣＤ３０、ＣＤ３３、ＣＤ４０、ＣＤ４５、ＣＤ６６、ＮＣＡ９０、ＮＣＡ９５、ＣＤ８０、α−フェトタンパク質（ＡＦＰ）、ＶＥＧＦ、ＥＧＦ受容体、ＰｌＧＦ、ＭＵＣ１、ＭＵＣ２、ＭＵＣ３、ＭＵＣ４、ＰＳＭＡ、ＧＤ２、ＧＤ３ガングリオシド、ＨＣＧ、ＥＧＰ−２、ＣＤ３７、ＨＬＡ−Ｄ−ＤＲ、ＣＤ３０、Ｉａ、Ｉｉ、Ａ３、Ａ３３、Ｅｐ−ＣＡＭ、ＫＳ−１、Ｌｅ（ｙ）、Ｓ１００、ＰＳＡ、テネイシン、葉酸受容体、ＴｎおよびＴｈｏｍａｓ−Ｆｒｉｅｄｅｎｒｅｉｃｈ抗原、腫瘍壊死抗原、腫瘍脈管形成抗原、Ｇａ７３３、ＩＬ−２、ＭＡＧＥ、およびそれらの組合せからなる群から選択されるものである、請求項３に記載の複合体。
【請求項８】
前記腫瘍関連抗原が、ＣＤ７４、ＣＤ１９、ＣＤ２０、ＣＤ２２、ＣＤ３３、ＥＧＰ−１、ＭＵＣ１、ＣＥＡおよびＡＦＰからなる群から選択されるものである、請求項７に記載の複合体。
【請求項９】
前記腫瘍関連抗原が、Ｂ細胞、Ｔ細胞もしくは骨髄細胞の系列抗原（ＣＤ）、または血液悪性疾患に関連する抗原を含んでなる、請求項３に記載の複合体。
【請求項１０】
前記抗体が、ＬＬ１、ＬＬ２、Ｌ２４３、Ｃ２Ｂ８、Ａ２０、ＭＮ−３、Ｍ１９５、ＭＮ−１４、抗ＡＦＰ、Ｍｕ−９、ＰＡＭ−４、ＲＳ７、ＲＳ１１および１７−１Ａからなる群から選択されるものである、請求項１に記載の複合体。
【請求項１１】
前記リンカーが抗体上の還元されたジスルフィド結合に結合している、請求項１に記載の複合体。
【請求項１２】
前記アントラサイクリン薬が、ダウノルビシン、ドキソルビシン、エピルビシン、２−ピロリノドキソルビシン、モルホリノ−ドキソルビシン、およびシアノモルホリノ−ドキソルビシンからなる群から選択されるものである、請求項１に記載の複合体。
【請求項１３】
前記アントラサイクリン薬が１３−ケト部分により抗体と連結されている、請求項１２に記載の複合体。
【請求項１４】
前記還元されたジスルフィド結合が抗体上の分子内ジスルフィド結合である、請求項１１に記載の複合体。
【請求項１５】
前記抗体が、マウス抗体、キメラ抗体、霊長類化抗体、ヒト化抗体、またはヒト抗体である、請求項１に記載の複合体。
【請求項１６】
前記抗体がＩｇＧのフラグメントである、請求項１５に記載の複合体。
【請求項１７】
前記抗体がＢ細胞に対するものである、請求項１５に記載の複合体。
【請求項１８】
前記抗体が、ＣＤ１９、ＣＤ２０、ＣＤ２１、ＣＤ２２、ＣＤ２３、ＣＤ３０、ＣＤ３７、ＣＤ４０、ＣＤ５２、ＣＤ７４、ＣＤ８０、およびＨＬＡ−ＤＲからなる群から選択される抗原に対するものである、請求項１７に記載の複合体。
【請求項１９】
前記抗体がＬＬ１、ＬＬ２、Ｌ２４３、Ｃ２Ｂ８、またはｈＡ２０である、請求項１８に記載の複合体。
【請求項２０】
抗体１分子につき６〜１０分子のアントラサイクリン薬を有する、請求項１に記載の複合体。
【請求項２１】
前記抗体−アントラサイクリン複合体が標的細胞中にインターナライズされるものである、請求項１に記載の複合体。
【請求項２２】
前記抗体−アントラサイクリン複合体が標的細胞中にインターナライズされ、その後、抗原が細胞表面上に再発現する、請求項２１に記載の複合体。
【請求項２３】
前記アントラサイクリン薬がアルキル化部分を有するものである、請求項１に記載の複合体。
【請求項２４】
前記アルキル化部分がエナミンである、請求項２３に記載の複合体。
【請求項２５】
前記アントラサイクリン薬が２−ピロリノ−ドキソルビシンである、請求項２４に記載の複合体。
【請求項２６】
請求項１に記載の複合体を製造する方法であって、
まず、前記リンカーをアントラサイクリン薬に結合させ、それによりアントラサイクリン薬−リンカー複合体を形成し、次に、該アントラサイクリン薬−リンカー複合体をチオール還元モノクローナル抗体または抗体フラグメントに結合させる、方法。
【請求項２７】
前記アントラサイクリン薬−リンカー複合体が、チオール還元モノクローナル抗体または抗体フラグメントとの結合の前に精製されない、請求項２６に記載の方法。
【請求項２８】
前記アントラサイクリン薬が２−ピロリノ−ドキソルビシン、モルホリノ−ドキソルビシンまたはシアノモルホリノ−ドキソルビシンである、請求項２６に記載の方法。
【請求項２９】
好適な容器中にモノクローナル抗体とアントラサイクリン薬との複合体を含んでなるキットであって、
該アントラサイクリン薬と該抗体とがヒドラジドおよびマレイミドを含んでなるリンカーを介して連結されており、
前記リンカーが４−（Ｎ−マレイミドメチル）シクロヘキサン−１−カルボキシルヒドラジドである、キット。
【請求項３０】
１種以上の免疫調節剤をさらに含んでなる、請求項２９に記載のキット。
【請求項３１】
前記免疫調節剤が、インターフェロン、サイトカイン、幹細胞増殖因子、コロニー刺激因子、リンホトキシンおよびその他の造血因子からなる群から選択されるものである、請求項３０に記載の方法。
【請求項３２】
前記インターフェロンがα−インターフェロン、β−インターフェロンまたはγ−インターフェロンである、請求項３１に記載のキット。
【請求項３３】
前記造血因子が、インターロイキン、コロニー刺激因子、および顆粒球マクロファージコロニー刺激因子からなる群から選択されるものである、請求項３１に記載のキット。
【請求項３４】
前記インターロイキンが、ＩＬ−１、ＩＬ−２、ＩＬ−３、ＩＬ−６、ＩＬ−１０、ＩＬ−１２、ＩＬ−１８、およびＩＬ−２１からなる群から選択されるものである、請求項３３に記載のキット。
【請求項３５】
前記造血因子が、エリスロポエチン、トロンボポエチン、Ｇ−ＣＳＦおよびＧＭ−ＣＳＦからなる群から選択されるものである、請求項３１に記載のキット。
【手続補正書】
【提出日】平成18年6月13日(2006.6.13)
【手続補正１】
【補正対象書類名】特許請求の範囲
【補正対象項目名】請求項７
【補正方法】変更
【補正の内容】
【請求項７】
前記ガイド面（１７，１８）が、外周方向で円柱状であることを特徴とする請求項３〜６の何れか１項に記載の工具カップリング。
【手続補正２】
【補正対象書類名】特許請求の範囲
【補正対象項目名】請求項９
【補正方法】変更
【補正の内容】
【請求項９】
前記雄部分（１）は、少なくとも一つの部分側面（１５）を有し、該部分側面（１５）は前記雄部分（１）の外側方向に膨らんでいることを特徴とする請求項７に記載の工具カップリング。
【手続補正書】
【提出日】平成18年6月29日(2006.6.29)
【手続補正１】
【補正対象書類名】特許請求の範囲
【補正対象項目名】請求項１
【補正方法】変更
【補正の内容】
【請求項１】
連鎖工程において物体 (O) に暫定的に印を付ける方法であって、該方法は該物体 (O) に印し付け装置によりコーティング組成物 (3) を施すことを含み、前記コーティング組成物 (3) は短寿命の放射線同位体を含み、前記短寿命の放射線同位体をより長寿命の放射線前駆体同位体からin situで発生させて前記印し付け装置中の前記コーティング組成物 (3) へ添加する方法。
【手続補正２】
【補正対象書類名】特許請求の範囲
【補正対象項目名】請求項２
【補正方法】変更
【補正の内容】
【請求項２】
前記短寿命の放射線同位体が１分乃至１日の半減期を持つ、請求項１の方法。
【手続補正３】
【補正対象書類名】特許請求の範囲
【補正対象項目名】請求項１０
【補正方法】変更
【補正の内容】
【請求項１０】
前記放射性核種発生器 (1)がγ線放出またはβ (＋) 線放出放射線同位体を発生し、前記放射線同位体が１分乃至１日を含む半減期を持つ、請求項９の方法。
【手続補正４】
【補正対象書類名】特許請求の範囲
【補正対象項目名】請求項１５
【補正方法】変更
【補正の内容】
【請求項１５】
物体 (O) に暫定的に印しを付け、そして同定する方法であって、前記方法は短寿命の放射線同位体を含むコーティング組成物(3) を印し付け装置により該物体 (O) に施す工程と該短寿命の放射線同位体により放出されたγ線を検出することにより該暫定的な印を同定する工程を含み、前記短寿命の放射線同位体をより長寿命の放射線前駆体同位体からin situで発生させて前記マーキング装置中の前記コーティング組成物 (3) へ添加する方法。
【手続補正５】
【補正対象書類名】特許請求の範囲
【補正対象項目名】請求項１６
【補正方法】変更
【補正の内容】
【請求項１６】
連鎖工程において物体 (O) に暫定的に印をつけ、そして同定するためのインクまたはコーティング組成物中の短寿命の放射線同位体の使用であって、前記短寿命の放射線同位体をより長寿命の放射線前駆体同位体からin situで発生させて前記印し付け装置中の前記コーティング組成物 (3) へ添加する使用。
【手続補正６】
【補正対象書類名】明細書
【補正対象項目名】００１８
【補正方法】変更
【補正の内容】
【００１８】
該99-Mo前駆体同位体を、イオン交換体、ゲルまたは同類のクロマトグラフ支持体に付着したモリブデートイオンの化学形態で含有する99m-テクネチウム発生器は放射性医薬会社から商業的に入手できる。99m-Tcは親99-Moの崩壊を通してその補給に対応する間隔で単純な溶出によりこれらの発生器から少しずつ取り出す (milked) ことができる。99m-Tc発生器の使用可能な寿命は99m-Mo前駆体の約5半減期、すなわち約2週間である。この時以降、該発生器は新しいものと交換されなければならない。
【手続補正書】
【提出日】平成18年10月26日(2006.10.26)
【手続補正１】
【補正対象書類名】特許請求の範囲
【補正対象項目名】全文
【補正方法】変更
【補正の内容】
【特許請求の範囲】
【請求項１】
式(I)：
【化１】
2006515838.tif 000001
｛式中、
aは1〜5であり、
各R1は同一であるかまたは異なっており、かつ、ハロ、アルキル、アルケニル、-OR6、-S(O)fR6、-NR6R7、-R4OR6、-R4S(O)fR6、-R4NR6R7およびシアノからなる群から独立に選択され、
bは0〜3であり、
R2はアルキル、アルケニル、C3-6シクロアルキル、C3-6シクロアルケニル、-OR6、-NR6R7、-R4OR6、-R4NR6R7、シアノおよびニトロからなる群から選択され、
Yは-O-または-N(R8)-であり、
cは0〜4であり、
各R3は同一であるかまたは異なっており、かつ、ハロ、アルキル、アルケニル、アルキニル、シクロアルキル、シクロアルケニル、-OR6、-COR6、-CO2R6、-CH(R6)OR7、-S(O)fR6、-NR6R7、-R4シクロアルキル、-R4OR6、-R4COR6、-R4CO2R6、-R4S(O)fR6、-R4NR6R7およびシアノからなる群から独立に選択され、
Zは-O-R4-、-R4-O-、-S(O)f-R4-、-R4-S(O)f-、-N(R8)-R4-、-R4-N(R8)-、-C(O)N(R8)-、-C(O)R4N(R8)-、-S(O)fN(R8)-および-S(O)fR4N(R8)-からなる群から選択され、
各R4は同一であるかまたは異なっており、かつ、アルキレンおよびアルケニレンからなる群から独立に選択され、
R5はR6O-、R6O2C-、および
【化２】
2006515838.tif 000002
（式中、環Aはアリールまたは5〜12員複素環またはヘテロアリールであり、
dは0〜4であり、
各R9は同一であるかまたは異なっており、かつ、ハロ、アルキル、アルケニル、アルキニル、シクロアルキル、-OR6、-COR6、-CO2R6、-CH(R6)OR7、-S(O)fR6、-NR6R7、-R4シクロアルキル、-R4OR6、-R4COR6、-R4CO2R6、-R4S(O)fR6、-R4NR6R7、シアノ、5〜9員複素環および5〜9員ヘテロアリールからなる群から独立に選択される）
からなる群から選択され、
各R6およびR7は同一であるかまたは異なっており、かつ、H、アルキル、アルケニル、C3-6シクロアルキルおよびC3-6シクロアルケニルからなる群から各々独立に選択され、
R8はHまたはアルキルであり、および
各fは同一であるかまたは異なっており、かつ、0、1および2からなる群から独立に選択される｝
の化合物、またはその製薬上許容される塩、溶媒和物もしくは生理学上機能的な誘導体。
【請求項２】
治療に使用するための、請求項１に記載の化合物。
【請求項３】
心血管疾患、アテローム性動脈硬化症、高コレステロール血症、胆汁うっ滞性肝疾患、および臓器線維症からなる群より選択されるFXRにより媒介される症状の治療または予防に用いるための、請求項１に記載の化合物を含む医薬組成物。
【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2006515833.tif 000001
［式中、
Ｒ1は、水素又はアルキルであり；
Ｒ2は、Ｃ1〜Ｃ4アルコキシ又はモルホリノ基であり；そして
Ｒ3は、水素又はＣ1〜Ｃ4アルコキシである］で示される化合物。
【請求項２】
請求項１記載の式（Ｉ）の化合物と、式（II）：
【化３】
2006515833.tif 000002
［式中、Ｒ1、Ｒ2及びＲ3は、請求項１と同義である］で示される化合物との混合物。
【請求項３】
０．１〜１０％の式（Ｉ）の化合物及び９０〜９９．９％の式（II）の化合物を含む、請求項２記載の混合物。
【請求項４】
請求項２記載の式（II）の化合物を含む配合物のための貯蔵安定性改善剤としての、請求項１記載の式（Ｉ）の化合物。
【請求項５】
（Ａ）少なくとも１つのエチレン性不飽和光重合性化合物、
（Ｂ）少なくとも１つの請求項２記載の式（II）の光開始剤化合物、及び
（Ｃ）貯蔵安定性改善剤として、少なくとも１つの請求項１記載の式（Ｉ）の化合物
を含むことを特徴とする、光重合性組成物。
【請求項６】
成分（Ｂ）の他に、更に別の光開始剤（Ｅ）及び／又は添加剤（Ｄ）を含むことを特徴とする、請求項５記載の組成物。
【請求項７】
組成物に基づいて、０．０５〜２０重量％の光開始剤成分（Ｂ）、又は０．０５〜２０重量％の光開始剤成分（Ｂ）＋（Ｅ）を含む、請求項５又は請求項６のいずれか記載の組成物。
【請求項８】
（Ｆ）少なくとも１つの塩基触媒重合性又は重縮合性化合物；
（Ｂ）少なくとも１つの請求項２記載の式（II）の光開始剤化合物；及び
（Ｃ）貯蔵安定性改善剤として、少なくとも１つの請求項１記載の式（Ｉ）の化合物、及び
（Ｄ１）場合により増感剤化合物
を含むことを特徴とする、塩基触媒硬化性組成物。
【請求項９】
少なくとも１つのエチレン性不飽和二重結合を有する、不揮発性モノマー、オリゴマー又はポリマー化合物の光重合の方法であって、請求項５〜７のいずれか１項記載の組成物を２００〜６００nmの範囲の光で照射する方法。
【請求項１０】
着色及び非着色表面コーティング剤、印刷インキ、スクリーン印刷インキ、オフセット印刷インキ、フレキソ印刷インキ、ＵＶ硬化性インクジェットインキ、パウダーコーティング剤、印刷版、接着剤、歯科用配合物、光導波管、光学スイッチ、変色試験系、複合材料、ガラス繊維ケーブルコーティング剤、スクリーン印刷ステンシル、レジスト材料、カラーフィルター、ゲルコート（緻密層）の製造における；電気及び電子部品の封入のための；磁気記録材料の製造における；ステレオリソグラフィーによる三次元物品の製造における；写真複製物、画像記録材料の製造における；ホログラフィー記録のための；脱色材料の製造における；画像記録材料用の脱色材料の製造における；マイクロカプセルを用いる画像記録材料の製造における、請求項９記載の方法。
【請求項１１】
少なくとも１つの表面が、請求項５〜８のいずれか１項記載の組成物でコーティングされている、コーティング基材。
【請求項１２】
着色及び非着色表面コーティング剤、保護コーティング剤、ベースコート、下塗りワニス、プライマー、トップコート、コーティングワニス、自動車修理用コーティング剤、装飾用コーティング剤、ＵＶ硬化性パウダーコーティング剤、ＵＶ硬化性インクジェットインキ、ネガレジスト又は印刷版の製造における、請求項８記載の塩基触媒硬化性組成物。
【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
個体における心血管疾患を評価することを補助する方法であって、
ａ．個体に由来するサンプル中で、多型アルファ−２Ｃ（α２ＣＤＥＬ３２２〜３２５）アドレナリン受容体をコードする断片の有無を検出する工程；および
ｂ．前記個体に由来するサンプル中で、多型ベータ−１アドレナリン受容体（β１Ａｒｇ３８９）をコードする断片の有無を検出する工程；
を含む、方法。
【請求項２】
前記サンプルが、血液サンプル、体液、組織サンプルまたはこれらの組み合わせを含むものである請求項１記載の方法。
【請求項３】
前記断片が、ＤＮＡ、ＲＮＡ、タンパク質またはこれらの組み合わせを含むである請求項１記載の方法。
【請求項４】
前記心血管疾患が、卒中、血管塞栓症、血管血栓症、心不全、心臓不整脈、心筋梗塞、心筋虚血症、狭心症、高血圧、低血圧、ショック、突然心臓死またはこれらの組み合わせを含むものである請求項１記載の方法。
【請求項５】
前記心血管疾患が、心不全である請求項４記載の方法。
【請求項６】
個体における心血管疾患の発症を遅延させることを補助する方法であって、
ａ．個体に由来するサンプル中で、多型アルファ−２Ｃ（α２ＣＤＥＬ３２２〜３２５）アドレナリン受容体をコードする断片の有無を検出する工程；および
ｂ．前記個体に由来するサンプル中で、多型ベータ−１アドレナリン受容体（β１Ａｒｇ３８９）をコードする断片の有無を検出する工程；
を含み、α２ＣＤＥＬ３２２〜３２５とβ１Ａｒｇ３８９の有無に基づいて、前記個体に対する治療法が選択され得；そして
該治療法が、個体における心血管疾患の発症を遅延させる、方法。
【請求項７】
前記サンプルが、血液サンプル、体液、組織サンプルまたはこれらの組み合わせを含むものである請求項６記載の方法。
【請求項８】
前記断片が、ＤＮＡ、ＲＮＡ、タンパク質またはこれらの組み合わせを含むものである請求項６記載の方法。
【請求項９】
前記心血管疾患が、卒中、血管塞栓症、血管血栓症、心不全、心臓不整脈、心筋梗塞、心筋虚血症、狭心症、高血圧、低血圧、ショック、突然心臓死またはこれらの組み合わせを含むものである請求項６記載の方法。
【請求項１０】
前記心血管疾患が、心不全である請求項９記載の方法。
【請求項１１】
前記治療法が、α２ＣＤＥＬ３２２〜３２５とβ１Ａｒｇ３８９のアゴニストおよび／またはアンタゴニストの投与を含むものである請求項６記載の方法。
【請求項１２】
前記治療法が、ライフスタイルの変化を含むものである請求項６記載の方法。
【請求項１３】
個体における心血管疾患に関する進行または早期死亡を遅延させることを補助する方法であって、
ａ．個体に由来するサンプル中で、多型アルファ−２Ｃ（α２ＣＤＥＬ３２２〜３２５）アドレナリン受容体をコードする断片の有無を検出する工程；および
ｂ．前記個体に由来するサンプル中で、多型ベータ−１アドレナリン受容体（β１Ａｒｇ３８９）をコードする断片の有無を検出する工程；
を含み、α２ＣＤＥＬ３２２〜３２５とβ１Ａｒｇ３８９の有無に基づいて、前記個体についての治療法が選択され得；そして
該治療法において、個体における心血管疾患に関する進行または早期死亡を遅延させる、方法。
【請求項１４】
前記サンプルが、血液サンプル、体液、組織サンプルまたはこれらの組み合わせを含むものである請求項１３記載の方法。
【請求項１５】
前記断片が、ＤＮＡ、ＲＮＡ、タンパク質またはこれらの組み合わせを含むものである請求項１３記載の方法。
【請求項１６】
前記心血管疾患が、卒中、血管塞栓症、血管血栓症、心不全、心臓不整脈、心筋梗塞、心筋虚血症、狭心症、高血圧、低血圧、ショック、突然心臓死またはこれらの組み合わせを含むものである請求項１３記載の方法。
【請求項１７】
前記心血管疾患が、心不全である請求項１６記載の方法。
【請求項１８】
個体における心血管疾患に関する遺伝カウンセリングを補助する方法であって、
ａ．個体に由来するサンプル中で、多型アルファ−２Ｃ（α２ＣＤＥＬ３２２〜３２５）アドレナリン受容体をコードする断片の有無を検出する工程；および
ｂ．前記個体に由来するサンプル中で、多型ベータ−１アドレナリン受容体（β１Ａｒｇ３８９）をコードする断片の有無を検出する工程；
を含み、α２ＣＤＥＬ３２２〜３２５とβ１Ａｒｇ３８９の有無に基いて、心血管疾患発症の潜在的リスクに関して、前記個体がカウンセリングされ得る、方法。
【請求項１９】
前記サンプルが、血液サンプル、体液、組織サンプルまたはこれらの組み合わせを含む請求項１８記載の方法。
【請求項２０】
前記断片が、ＤＮＡ、ＲＮＡ、タンパク質またはこれらの組み合わせを含む請求項１８記載の方法。
【請求項２１】
前記心血管疾患が、卒中、血管塞栓症、血管血栓症、心不全、心臓不整脈、心筋梗塞、心筋虚血症、狭心症、高血圧、低血圧、ショック、突然心臓死またはこれらの組み合わせを含む請求項１８記載の方法。
【請求項２２】
前記心血管疾患が、心不全である請求項２１記載の方法。
【請求項２３】
前記個体が、胎児である請求項１８記載の方法。
【手続補正書】
【提出日】平成18年3月7日(2006.3.7)
【手続補正１】
【補正対象書類名】特許請求の範囲
【補正対象項目名】全文
【補正方法】変更
【補正の内容】
【特許請求の範囲】
【請求項１】
緊急警戒機能を有するテレビジョン信号受信器であって：
テレビジョン信号処理器がオフ／スタンバイモードにある間に、緊急イベントを表す緊急警戒信号を含む周波数にチューニングするための第１チューニング手段；
テレビジョン信号処理器がオンモードにある間に、緊急イベントを表す緊急警戒信号を含む周波数にチューニングするための第２チューニング手段；及び
テレビジョン信号受信器が緊急警戒信号に応じてオンモードにオフ／スタンバイモードから切り換えられるようにするための処理手段；
から構成されることを特徴とするテレビジョン信号受信器。
【請求項２】
緊急警戒機能を有するテレビジョン信号処理装置を制御するための方法であって：
テレビジョン信号処理装置がオフ／スタンバイモードにある間に、緊急イベントを表す信号を含む周波数にチューニングするためにテレビジョン信号処理装置の第１チューナを用いる段階；
テレビジョン信号処理装置がオンモードにある間に、緊急イベントを表す信号を含む周波数にチューニングするためにテレビジョン信号処理装置の第２チューナを用いる段階；及び
緊急イベントを表す信号に応じてオンモードにオフ／スタンバイモードからテレビジョン信号処理装置を切り換える段階；
から構成される、ことを特徴とする方法。
【手続補正書】
【提出日】平成18年6月12日(2006.6.12)
【手続補正１】
【補正対象書類名】明細書
【補正対象項目名】００３７
【補正方法】変更
【補正の内容】
【００３７】
（耐性カセット挿入の検証）
耐性カセット挿入を検証するために、コロニーを直接用いてＰＣＲ反応を実施する。３対のプライマーを使用する：プライマーＦＲ１とＦＲ２とが標的遺伝子を組み上げる１対、および耐性カセット内に位置するプライマーと、標的遺伝子の上流または下流いずれかに位置する他のプライマーとを用いる２対である。
【手続補正書】
【提出日】平成18年9月26日(2006.9.26)
【手続補正１】
【補正対象書類名】特許請求の範囲
【補正対象項目名】請求項２４１
【補正方法】変更
【補正の内容】
【請求項２４１】
前記ネットワークは、シリアルバスを含む請求項２４０に記載の患者支持体。
【手続補正２】
【補正対象書類名】特許請求の範囲
【補正対象項目名】請求項２４２
【補正方法】変更
【補正の内容】
【請求項２４２】
前記ネットワークは、コントローラ・エリア・ネットワークである請求項２４０に記載の患者支持体。
【手続補正３】
【補正対象書類名】特許請求の範囲
【補正対象項目名】請求項２４３
【補正方法】変更
【補正の内容】
【請求項２４３】
前記各モジュールは、送受信機とプロセッサとを備える請求項２４０に記載の患者支持体。
【手続補正４】
【補正対象書類名】特許請求の範囲
【補正対象項目名】請求項２４４
【補正方法】変更
【補正の内容】
【請求項２４４】
前記各モジュールは、該モジュールの動作状態を示す状態メッセージを前記ネットワークを介して周期的に送信する請求項２４０に記載の患者支持体。
【手続補正５】
【補正対象書類名】特許請求の範囲
【補正対象項目名】請求項２４５
【補正方法】変更
【補正の内容】
【請求項２４５】
少なくとも２つのモジュールが同時に前記ネットワークにアクセス可能である請求項２４０に記載の患者支持体。
【手続補正６】
【補正対象書類名】特許請求の範囲
【補正対象項目名】請求項２４６
【補正方法】変更
【補正の内容】
【請求項２４６】
前記メッセージは、該メッセージを送信しているモジュール以外の前記複数のモジュールの全てにブロードキャストされる請求項２４０に記載の患者支持体。
【手続補正７】
【補正対象書類名】特許請求の範囲
【補正対象項目名】請求項２４７
【補正方法】変更
【補正の内容】
【請求項２４７】
前記ネットワークは、前記複数のモジュールが自動的に新しいモジュールの該ネットワークへの追加を検出するように構成されている請求項２４０に記載の患者支持体。
【手続補正８】
【補正対象書類名】特許請求の範囲
【補正対象項目名】請求項２４８
【補正方法】変更
【補正の内容】
【請求項２４８】
前記モジュールの１つは、他のモジュールから受信した信号を遠隔場所に送信するインターフェイスに結合された通信モジュールである請求項２４０に記載の患者支持体。
【手続補正９】
【補正対象書類名】特許請求の範囲
【補正対象項目名】請求項２４９
【補正方法】変更
【補正の内容】
【請求項２４９】
前記モジュールの１つは、前記台の部分を位置決めするように構成されたモータと、前記台の位置を示す信号を供給するように構成されたセンサとに電気的に結合され、
前記１つのモジュールは、前記位置信号に基づいて前記台部分の位置を監視し、前記モータを操作することで前記台部分の位置を制御する請求項２４０に記載の患者支持体。
【手続補正１０】
【補正対象書類名】特許請求の範囲
【補正対象項目名】請求項２５０
【補正方法】変更
【補正の内容】
【請求項２５０】
前記ネットワークに接続された時、マスタモジュールとして機能するテストモジュールを更に含み、
前記テストモジュールは、選択された他のモジュールに前記ネットワークを介してメッセージを送信し、該選択された他のモジュールの機能をテストするように構成されている請求項２４０に記載の患者支持体。
【手続補正１１】
【補正対象書類名】特許請求の範囲
【補正対象項目名】請求項２５１
【補正方法】変更
【補正の内容】
【請求項２５１】
膨張可能なマットレスと該マットレスに結合された空気ポンプとを更に備え、
前記モジュールの１つは、前記ネットワークを介して送信される前記マットレスを選択的に膨張・収縮させるメッセージに応答して前記空気ポンプに制御信号を供給するように構成されている請求項２４０に記載の患者支持体。
【手続補正１２】
【補正対象書類名】特許請求の範囲
【補正対象項目名】請求項２５２
【補正方法】変更
【補正の内容】
【請求項２５２】
前記患者支持体上の患者の体重を測定し、該患者の体重を示す信号を出力するための荷重枠を更に備え、
前記モジュールの１つは、前記信号を受信し前記ネットワークを介して前記患者体重を示すメッセージを供給するように構成された計量モジュールである請求項２４０に記載の患者支持体。
【手続補正１３】
【補正対象書類名】特許請求の範囲
【補正対象項目名】請求項２５３
【補正方法】変更
【補正の内容】
【請求項２５３】
前記患者支持体の位置決めにおける障害の存在を示す信号を出力するように構成された障害検出デバイスを更に備え、
前記モジュールの１つは、前記信号を受信し前記ネットワークを介して別のモジュールに前記障害の存在を示す情報を含むメッセージを供給するように構成されている請求項２４０に記載の患者支持体。
【手続補正１４】
【補正対象書類名】特許請求の範囲
【補正対象項目名】請求項２５４
【補正方法】変更
【補正の内容】
【請求項２５４】
前記他のモジュールは、前記患者支持体が位置決めされるのを防ぐ請求項２４０に記載の患者支持体。
【手続補正１５】
【補正対象書類名】特許請求の範囲
【補正対象項目名】請求項２５５
【補正方法】変更
【補正の内容】
【請求項２５５】
前記ネットワークは、ＣＡＮopen通信プロトコルに準拠するアプリケーション層を有する請求項２４０に記載の患者支持体。
【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
照明システム、レチクル、投影対物レンズ、画像平面を有し、それら個別要素間の隙間空間が周囲空間に開いている投影露光装置であって、不活性ガスまたは窒素ガスを搬送するガス・パージ装置が、前記隙間空間の少なくとも１つに配置されており、ガス・パージ装置が、１つまたは複数の隙間空間が投影露光装置を取り囲む周囲空間から少なくとも大部分密封されるような形状とサイズとを有し、上記ガス・パージ装置が少なくとも１つのガス流入装置と、少なくとも１つのガス流出装置とを備え、
少なくとも１つの上記ガス流入装置が中空オリフィス通路として構成されており、上記中空オリフィス通路が、ガス・パージ装置の中への窒素または不活性ガスの層流入流を達成するようにリング形状化されていることを特徴とする投影露光装置。
【請求項２】
ガス・パージ装置が画像平面と投影対物レンズとの間に配置されていることを特徴とする請求項１に記載の装置。
【請求項３】
ガス・パージ装置が照明システムと投影対物レンズとの間に配置されていることを特徴とする請求項１に記載の装置。
【請求項４】
周囲より高い圧力がガス・パージ装置の内部に提供されることを特徴とする請求項１に記載の装置。
【請求項５】
窒素または不活性ガスを給送するための流入通路が、流出通路より大きな断面積で設計されていることを特徴とする請求項１に記載の装置。
【請求項６】
中空オリフィス通路がその周囲に沿ってセグメントに分けられていることを特徴とする請求項１に記載の装置。
【請求項７】
ガス流出装置がギャップ・シールを備えていることを特徴とする請求項８に記載の装置。
【請求項８】
ガス流出装置が薄板形状のギャップ・シールを備え、そのギャップ・シールはリング形状であることを特徴とする請求項１に記載の装置。
【請求項９】
薄板形状のギャップ・シールが互いに関して横方向にずらすことができることを特徴とする請求項８に記載の装置。
【請求項１０】
ガス流出装置がシールを提供するために２つのリング形状のプレートを備え、前記２つのリング形状のプレートを互いに横方向にずらすことができることを特徴とする請求項１に記載の装置。
【請求項１１】
プレートの一方を投影対物レンズに取り付けるために固定された連結部が備えられ、他方のプレートをガス・パージ装置に取り付けるために固定された連結部が備えられていることを特徴とする請求項１０に記載の装置。
【請求項１２】
２つのプレートの各々が中央開口部を備えていることを特徴とする請求項１０に記載の装置。
【請求項１３】
不活性ガスとしてヘリウムが提供されることを特徴とする請求項１に記載の装置。
【請求項１４】
ガス・パージ装置が円筒形状で構成されていることを特徴とする請求項１に記載の装置。
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
Ｃ末端チロシンキナーゼドメインおよびＮ末端ドメインを含む融合ポリペプチドであって、該融合ポリペプチドは、構成的に活性化されたキナーゼ活性を有し、その天然に存在する環境以外で存在し、かつ、以下の特徴：
（ａ）該Ｃ末端ドメインは、第４染色体にコードされるタンパク質由来であること；
（ｂ）該Ｎ末端ドメインは、第４染色体にコードされるタンパク質由来であること；および
（ｃ）該融合タンパク質は、転座事象の産物ではないこと、
のうち少なくとも１つによってさらに特徴付けられる、融合ポリペプチド。
【請求項２】
請求項１に記載の融合ポリペプチドであって、ここで：
（ａ）前記Ｃ末端ドメインが、第４染色体にコードされるタンパク質由来であり；
（ｂ）前記Ｎ末端ドメインは、第４染色体にコードされるタンパク質由来であり；そして
（ｃ）該融合タンパク質は、転座事象の産物ではない、
融合ポリペプチド。
【請求項３】
前記第４染色体チロシンキナーゼドメインが、ＰＤＧＦＲα、ｃ−ＫｉｔおよびＶＥＧＦＲ−２から選択されるチロシンキナーゼのＣ末端ドメインを含む、請求項１または請求項２に記載の融合ポリペプチド。
【請求項４】
前記Ｎ末端ドメインが、ＮＭ＿０３０９１７である、請求項１〜３のいずれか１項に記載の融合ポリペプチド。
【請求項５】
前記融合ポリペプチドが、ヒトポリペプチドである、請求項１〜４のいずれか１項に記載の融合ポリペプチド。
【請求項６】
配列番号０１、配列番号０２、配列番号０３および配列番号０４から選択される配列と実質的に同じであるかまたは同一であるアミノ酸配列を有する、請求項１〜５のいずれか１項に記載の融合ポリペプチド。
【請求項７】
請求項１〜６のいずれか１項に記載の融合ポリペプチドをコードする、その天然に存在する環境以外で存在するポリヌクレオチド。
【請求項８】
配列番号０５、配列番号０６、配列番号０７および配列番号０８から選択される配列と実質的に同じであるかまたは同一である残基の配列を有する、請求項７に記載のポリヌクレオチドならびにその相補体。
【請求項９】
請求項７または請求項８に記載のポリヌクレオチドを含む細胞。
【請求項１０】
請求項１〜６のいずれか１項に記載の融合ポリペプチドに特異的に結合する、抗体。
【請求項１１】
宿主が過剰増殖性疾患状態を罹患するか否かの決定にあたって補助する方法であって、該方法は、以下：
請求項１〜６のいずれか１項に記載の融合ポリペプチドまたはコード配列を含むヌクレオチドの存在について該宿主をアッセイし、それによりアッセイ結果を得る工程であって、ここで該アッセイ結果を、該宿主が該過剰増殖性疾患状態を罹患しているか否かを決定するために、利用し得る工程
を包含する、方法。
【請求項１２】
前記アッセイ工程が、前記ポリヌクレオチドの存在について前記サンプルをスクリーニングする工程を包含する、請求項１１に記載の方法。
【請求項１３】
請求項１〜６のいずれか１項に記載の融合ポリペプチドの活性を阻害する薬剤を同定する方法であって、該方法は、以下：
該融合ポリペプチドを、試験薬剤と接触させる工程；および
該融合ポリペプチドの活性に対する該試験薬剤の効果があればこれを決定する工程、
を包含する、方法。
【請求項１４】
請求項１〜６のいずれか１項に記載の融合ポリペプチドの、コード配列からの発現を阻害する薬剤を同定する方法であって、該方法は、以下：
該コード配列を試験薬剤と接触させる工程；および
該コード配列からの該融合ポリペプチドの該発現に対する該試験薬剤の効果があればこれを決定する工程、
を包含する、方法。
【請求項１５】
サンプルにおけるチロシンキナーゼ融合タンパク質の存在について該サンプルをスクリーニングする方法であって、該方法は、以下：
（ａ）該サンプルの残留する成分からチロシンリン酸化タンパク質を分離し、サンプル由来のチロシンリン酸化タンパク質集団を産生する工程；および
（ｂ）該サンプル由来のチロシンリン酸化タンパク質集団の成分メンバーを、２つ以上の異なったタンパク質由来のドメインの存在について評価する工程、
を包含する、方法。
【請求項１６】
過剰増殖性疾患を処置するための組成物であって、該組成物は、請求項１〜６のいずれか１項に記載の融合ポリペプチドのチロシン活性を減少させる因子を含む、組成物。
【手続補正書】
【提出日】平成18年9月25日(2006.9.25)
【手続補正１】
【補正対象書類名】特許請求の範囲
【補正対象項目名】全文
【補正方法】変更
【補正の内容】
【特許請求の範囲】
【請求項１】
配列番号２のアミノ酸残基28〜108のアミノ酸配列を含んで成るポリペプチドを含んで成る、哺乳類における胃腸収縮性の調整のための医薬組成物。
【請求項２】
配列番号５で示されるアミノ酸残基20〜105のアミノ酸配列を含んで成るポリペプチドを含む医薬組成物と、前記医薬組成物の投与の後に投与される、配列番号２のアミノ酸残基28〜108のアミノ酸配列を含んで成るポリペプチドを含む医薬組成物との、胃腸収縮性の刺激のための組み合わせ医薬。
【請求項３】
配列番号２のアミノ酸残基28〜108のアミノ酸配列を含んで成るポリペプチドを含んで成る、哺乳類における胃排出能の調整のための医薬組成物。
【請求項４】
配列番号２のアミノ酸残基28〜108のアミノ酸配列を含んで成るポリペプチドを含んで成る、哺乳類における胃通過の調整ための医薬組成物。
【請求項５】
前記調整が阻害である請求項１，３又は４記載の医薬組成物。
【請求項６】
前記ポリペプチドが１又は複数の投与で投与される請求項１，３又は４の記載の医薬組成物。
【請求項７】
前記ポリペプチドの１又は複数回の投与が胃腸収縮性、胃排出能又は腸通過を刺激し、そして前記ポリペプチドの１又は複数回の投与が胃腸収縮性、胃排出能又は腸通過を阻害する請求項１，３又は４記載の医薬組成物。
【請求項８】
胃腸収縮性、胃排出能又は腸通過を刺激する１又は複数回の投与が、胃腸収縮性、胃排出能又は腸通過を阻害する１又は複数回の投与の前、行われる請求項１，３又４記載の医薬組成物。
【請求項９】
胃腸収縮性、胃排出能又は腸通過を阻害する１又は複数回の投与が、胃腸収縮性、胃排出能又は腸通過を刺激する１又は複数回の投与の前、行われる請求項１，３又４記載の医薬組成物。
【請求項１０】
腸通過の治療制御が達成される請求項１，３又は４記載の医薬組成物。
【請求項１１】
前記ポリペプチドが、一定の期間、連続して投与される請求項１，３又は４記載の医薬組成物。
【請求項１２】
配列番号２のアミノ酸残基28〜108のアミノ酸配列を含んで成るポリペプチドを含んでなる、胃腸収縮性、胃排出能又は腸通過を改善して胃不全麻痺を治療するための医薬組成物。
【請求項１３】
前記胃不全麻痺が手術に関連する請求項12記載の医薬組成物。
【請求項１４】
前記ポリペプチドが、手術の前又は後、哺乳類に投与される請求項13記載の医薬組成物。
【請求項１５】
前記ポリペプチドが、前記哺乳類が手術後食事を供給される前又は後、前記哺乳類に投与される請求項13記載の医薬組成物。
【請求項１６】
前記治療が、腸閉塞における収縮性の上昇により特徴づけられる請求項12記載の医薬組成物。
【請求項１７】
前記胃不全麻痺が、手術後腸閉塞又は麻痺性腸閉塞である請求項13記載の医薬組成物。
【請求項１８】
前記胃不全麻痺が手術に関連しない請求項12記載の医薬組成物。
【請求項１９】
前記胃不全麻痺が、糖尿病、腸偽閉塞、慢性の便秘、消化機能減退、胃食道逆流症、嘔吐、麻痺性胃不全麻痺、敗血症、又は薬剤の消費に関連する請求項12記載の医薬組成物。
【請求項２０】
配列番号２のアミノ酸残基28〜108のアミノ酸配列又は配列番号５のアミノ酸残基20〜105のアミノ酸配列を含んで成るポリペプチドを含んで成る、哺乳類におけるケモカイン放出の刺激のための医薬組成物。
【請求項２１】
配列番号２のアミノ酸残基28〜108のアミノ酸配列又は配列番号５のアミノ酸残基20〜105のアミノ酸配列を含んで成るポリペプチドを含んで成る、哺乳類における好中球浸潤の刺激のための医薬組成物。
【請求項２２】
配列番号２のアミノ酸残基28〜108のアミノ酸配列又は配列番号５のアミノ酸残基20〜105のアミノ酸配列を含んで成るポリペプチドを含んで成る、哺乳類における食欲又は体重増加を誘発するか又は高めるための医薬組成物。
【請求項２３】
配列番号２のアミノ酸残基28〜108のアミノ酸配列又は配列番号５のアミノ酸残基20〜105のアミノ酸配列を含んで成るポリペプチドを含んで成る、哺乳類における熱、機械又は痛み刺激に対する感作を高めるための医薬組成物。
【請求項２４】
配列番号２のアミノ酸残基28〜108のアミノ酸配列又は配列番号５のアミノ酸残基20〜105のアミノ酸配列を含んで成るポリペプチドを含んで成る、哺乳類における熱、機械又は痛み刺激に対する感作を低めるための医薬組成物。
【請求項２５】
前記アンタゴニストが、前記ポリペプチドに対して特異的に結合する抗体である請求項24記載の医薬組成物。
【請求項２６】
配列番号２のアミノ酸残基28〜108のアミノ酸配列を含んで成るポリペプチドを含んで成る、心臓幹細胞における血管形成の誘発のための医薬組成物。
【請求項２７】
前記血管形成がエクスビボ又はインビトロで誘発される請求項26記載の医薬組成物。
【請求項２８】
配列番号２のアミノ酸残基28〜108のアミノ酸配列を含んで成るポリペプチドを含んで成る、心臓幹細胞における脈管形成の誘発のための医薬組成物。
【請求項２９】
前記新生がエクスビボ又はインビトロで誘発される請求項28記載の医薬組成物。
【請求項３０】
ａ）配列番号２のアミノ酸残基28〜208；
ｂ）配列番号５のアミノ酸残基20〜105；及び
ｃ）配列番号29のアミノ酸残基28〜129
から選択されたアミノ酸配列を含んで成るポリペプチドをを含んで成る、哺乳類における胃腸収縮性、胃排出能又は腸通過の調整のための医薬組成物。
【請求項３１】
前記ポリペプチドが、経口、腹腔内、静脈内、筋肉内又は皮下投与される請求項30記載の医薬組成物。
【請求項３２】
配列番号14で示されるような核酸配列を含んで成る単離された核酸。
【請求項３３】
請求項32記載の単離された核酸、転写プロモーター及び転写ターミネーターを含んで成る発現ベクターを含んで成る組換え宿主細胞を増殖する段階を含んで成るポリペプチドの生成方法であって、前記プロモーターが前記核酸により作用可能に連結され、前記核酸が前記転写ターミネーターにより作用可能に連結され、そして前記核酸によりコードされるタンパク質が前記組換え細胞により生成されることを特徴とする方法。
【請求項３４】
請求項33記載の方法により生成されるポリペプチド。
【手続補正書】
【提出日】平成18年9月7日(2006.9.7)
【手続補正１】
【補正対象書類名】特許請求の範囲
【補正対象項目名】請求項８
【補正方法】変更
【補正の内容】
【請求項８】
2-EFハンド花粉アレルゲンの野生型配列に関して、配列番号：1に関して配列番号：2、配列番号：3、配列番号：4、配列番号：5、または配列番号：6において置換、または欠失しているアミノ酸残基に対応するアミノ酸の位置が置換または欠失されている、2-EFハンド花粉アレルゲンに由来する変異ポリペプチド。
【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2006515289.tif 000001
［式中、
Ａは、基
【化２】
2006515289.tif 000002
を表し、
その際、
Ｒ1及びＲ2は、相互に無関係に、水素、ハロゲン、シアノ、ニトロ又は、それぞれ場合により置換されたアルキル、アルケニル、アルキニル、アリール、ヘテロサイクリル、−ＣＯＲ5、−ＣＯＮＲ6、−ＣＳＮＲ7又は−ＳＯ2Ｒ8を表し、
その際、
Ｒ5〜Ｒ8は、相互に無関係に、それぞれ場合により置換されたアルキル、アルケニル、アルキニル、アリール及びヘテロサイクリルを表し、
及び
Ｒ3及びＲ4は、相互に無関係に、水素、又はそれぞれ場合により置換されたアルキル、アルケニル、アルキニル、アリール及びヘテロサイクリルを表す］の化合物、並びにその塩及び酸付加化合物。
【請求項２】
Ａが、基
【化３】
2006515289.tif 000003
を表し、
Ｒ1及びＲ2は水素を表す請求項１記載の式（Ｉ）の化合物の製造方法において、ヒドロキシルアミン又はその塩を、２−アミノ−１−シクロペンテン−１−カルボニトリルと、場合により希釈剤の存在でかつ場合により触媒量又は化学量論的量の塩基の存在で反応させることを特徴とする、請求項１記載の式（Ｉ）の化合物の製造方法。
【請求項３】
Ａは、基
【化４】
2006515289.tif 000004
を表し、
及び
Ｒ1及びＲ2は、相互に無関係に、ハロゲン、シアノ、ニトロ又は、それぞれ場合により置換されたアルキル、アルケニル、アルキニル、アリール、ヘテロサイクリル、−ＣＯＲ5、−ＣＯＮＲ6、−ＣＳＮＲ7又は−ＳＯ2Ｒ8を表し、
及び
Ｒ5〜Ｒ8は請求項１に記載された意味を表す請求項１記載の式（Ｉ）の化合物の製造方法において、
Ａが、基
【化５】
2006515289.tif 000005
を表し、及び
Ｒ1及びＲ2は水素を表す一般式（Ｉ）の化合物を、
ａ）  一般式（ＩＩ）
【化６】
2006515289.tif 000006
［式中、
Ｒ5は請求項１に記載された意味を表す］のカルボン酸無水物と、
又は
ｂ）  一般式（ＩＩＩ）
【化７】
2006515289.tif 000007
［式中、
Ｒ5は請求項１記載の意味を表し、ＸはＣｌ及びＢｒを表す］のカルボン酸ハロゲン化物と、
又は
ｃ）  一般式（ＩＶ）
【化８】
2006515289.tif 000008
［式中、
Ｒ6は請求項１に記載された意味を表す］のイソシアナートと、
又は
ｄ）  一般式（Ｖ）
【化９】
2006515289.tif 000009
［式中、
Ｒ7は請求項１に記載された意味を表す］のイソチオシアナートと、
又は
ｅ）  一般式（ＶＩ）
【化１０】
2006515289.tif 000010
［式中、
Ｒ8は請求項１に記載された意味を表す］のスルホン酸クロリドと、
場合により希釈剤の存在で、かつ場合により触媒量又は化学量論的量の塩基の存在で反応させることを特徴とする請求項１記載の式（Ｉ）の化合物の製造方法。
【請求項４】
Ａが、
【化１１】
2006515289.tif 000011
を表し、
及び
Ｒ3及びＲ4は請求項１に記載された意味を表す請求項１記載の式（Ｉ）の化合物の製造方法において、
Ａが、
【化１２】
2006515289.tif 000012
を表し、
及びＲ1及びＲ2は水素を表す一般式（Ｉ）の化合物を、一般式（ＶＩＩ）
【化１３】
2006515289.tif 000013
［式中、
Ｒ3及びＲ4は請求項１に記載された意味を表す］のアルデヒド又はケトンと
場合により希釈剤の存在で、かつ場合により触媒量又は化学量論的量の塩基の存在で反応させることを特徴とする、請求項１記載の式（Ｉ）の化合物の製造方法。
【請求項５】
請求項１記載の少なくとも１種の化合物及び少なくとも１種の溶剤又は希釈剤並びに場合により加工助剤及び場合により他の殺菌作用の化合物を含有する殺菌剤。
【請求項６】
工業材料の保護のための殺菌剤としての、請求項１記載の化合物の使用。
【請求項７】
請求項１記載の少なくとも１種の化合物を微生物に又はその生活空間に作用させる特徴とする、微生物による被害及び破壊から工業材料を保護する方法。
【請求項８】
請求項１記載の少なくとも１種の化合物を含有する工業材料。
【手続補正書】
【提出日】平成18年3月6日(2006.3.6)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
レーザービームからのレーザーパルスが衝突するターゲットの光学的破壊からのプラズマ形成による衝撃波の生成を通じて操作ポートで組織を破砕するための外科用縫合針であって、
ａ）前記操作ポートが前記針の遠位端に位置し、
ｂ）前記ターゲットが、前記操作ポートの遠位最大部のすぐ近位に延びる壁主要部を有し、
ｃ）前記針が側壁および吸引通路を有し、前記側壁の内面は前記吸引通路の表面であり、
ｄ）前記側壁が縫い目のない単一の金属で製造されており、したがって、前記吸引通路における流体の流れが、小さな乱流および層流または層流に近い流れとなり、この流れに対して小さなもしくは最小限の摩擦を与えるような平滑な内面を有する、外科用縫合針。
【請求項２】
前記操作ポートが、前記外科用縫合針を長手方向に二等分する平面の実質的に第１の側面上にあり、かつ前記ターゲットが前記平面の実質的に第２の側面上にある、請求項１に記載の外科用縫合針。
【請求項３】
前記操作ポートが実質的に円形である、請求項１または２のいずれかに記載の外科用縫合針。
【請求項４】
前記ターゲットが、前記吸引通路の軸に対して約４５度での平面であるターゲット表面を有する、請求項１〜３のいずれかに記載の外科用縫合針。
【請求項５】
前記操作ポートおよび前記ターゲットの近位の前記吸引通路における唯一の乱流誘導構造物が前記光ファイバーである、レーザーパルスを伝えるための光ファイバーを有する請求項１〜４のいずれかに記載の外科用縫合針。
【請求項６】
前記ターゲットおよび前記操作ポートが、前記外科用縫合針のほぼ同じ長手方向の距離にわたって延びる、請求項１〜５のいずれかに記載の外科用縫合針。
【請求項７】
前記操作ポートが中心軸を有し、かつ前記針が中心軸を有し、前記ポートの前記中心軸および前記針の前記中心軸が、互いに対して約３０〜４５度である、
請求項１〜６のいずれかに記載の外科用縫合針。
【請求項８】
前記ターゲットを含む側壁または針全体がチタンである、請求項１〜７のいずれかに記載の外科用縫合針。
【請求項９】
前記吸引通路１４が穴によって画定されている、請求項１〜８のいずれかに記載の外科用縫合針。
【請求項１０】
前記穴が、高速、例えば４０，０００ｒｐｍの穴あけ工程によって作られる、請求項９に記載の外科用縫合針。
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
所定の分子種をフィードストリームから分離する方法において、
(a)流動対ＴＭＰ曲線の圧力依存性領域において転移点流動の約5から100％までの範囲のレベルで流動を維持しながら、前記フィードストリームから前記所定の分子種を分離する孔のサイズを有する濾過膜を通す十字流濾過法により前記フィードストリームを濾過する工程であって、前記濾過の転移点における膜圧以下のレベルで膜圧を前記膜に沿って実質的に一定に維持し、これによって、前記所定の分子種がその生物学的活性を保持するように前記所定の分子種を前記フィードストリームから選択的に分離する工程、
(b)精密濾過法により前記フィードストリームを濾過する工程、を有してなり、
前記所定の分子種がタンパク質であることを特徴とする方法。
【手続補正書】
【提出日】平成18年11月6日(2006.11.6)
【手続補正１】
【補正対象書類名】明細書
【補正対象項目名】００７１
【補正方法】変更
【補正の内容】
【００７１】
グリカン修飾剤との接触後、処置した血小板を冷却する。例えば、２２℃で貯蔵した血小板に比べ、低温保存温度で貯蔵した血小板は、実質的に減少した代謝性作用を有する。したがって、４℃で貯蔵した血小板は、代謝的に活性が低く、したがって、例えば、２２℃で貯蔵した血小板と比較して、多量のＣＯ２を発生しない（Slichter, S. J., 1981, Vox Sang 40 (Suppl 1), pp 72-86, Clinical Testing and Laboratory-Clinical correlations）。血小板マトリックス内でのＣＯ２の溶解は、ｐＨの減少および血小板の生存度の付随的減少をもたらす（Slichter, S., 1981, supra.）。したがって、従来の血小板用パックは、パック内外への気体の輸送（Ｏ２を中へおよびＣＯ２を外へ）を最大限にするために十分透過性のある材料で設計し、構築した材料で形成される。血小板用パックのデザインおよび構築における先行技術の制限は、低温保存温度での血小板の貯蔵を可能にし、それにより実質的に血小板代謝を減少させ、貯蔵中血小板により発生したＣＯ２量を少なくする本発明により除去される。したがって、本発明はさらに、血小板の低温貯蔵に特に有用な容器である、実質的にＣＯ２および／またはＯ２に対し非透過性である血小板用容器を提供する。
【手続補正２】
【補正対象書類名】図面
【補正対象項目名】図１Ｃ
【補正方法】変更
【補正の内容】
【図１Ｃ】
2006515279.tif 000001
【手続補正３】
【補正対象書類名】図面
【補正対象項目名】図２
【補正方法】変更
【補正の内容】
【図２】
2006515279.tif 000002